【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
撮影光学系を通過した光を光電変換する撮像手段から出力された画像信号により生成される画像の領域に対する位置の指定を受け付ける受け付け手段と、
前記画像に第１の領域を設定する設定手段と、
前記第１の領域に対応する被写体の領域を、連続的に生成される前記画像から検出する被写体検出手段と、
前記被写体検出手段によって検出された被写体の領域に対応する前記画像信号に基づいて、焦点状態を検出する焦点検出手段と、
前記画像信号に基づいて、前記焦点状態の検出に関する所定の指標を算出する算出手段とを有し、
前記受け付け手段を介して指定された位置に対応する第２の領域における前記所定の指標が第１の状態を示すとき、前記設定手段は、前記第２の領域に基づいて前記第１の領域を設定し、
前記第２の領域における前記所定の指標が前記第１の状態よりも前記焦点状態の検出に適さない第２の状態を示し、かつ、前記第２の領域の近傍の第３の領域における前記所定の指標が前記第１の状態を示すとき、前記設定手段は、前記第３の領域に基づいて前記第１の領域を設定することを特徴とする焦点検出装置。
【請求項２】
前記所定の指標は、前記画像信号のコントラストに基づく指標であることを特徴とする請求項１に記載の焦点検出装置。
【請求項３】
前記焦点状態に基づいて焦点調節を行う焦点調節手段とを有し、
前記被写体検出手段によって被写体の領域を連続的に検出する際に前記焦点調節を継続的に行う第１のモードにおいて、前記設定手段は、前記第２の領域における前記所定の指標が前記第１の状態を示すとき、前記第２の領域に基づいて前記第１の領域を設定し、前記第２の領域における前記所定の指標が前記第２の状態を示し、かつ、前記第２の領域の近傍の前記第３の領域における前記所定の指標が前記第１の状態を示すとき、前記第３の領域に基づいて前記第１の領域を設定することを特徴とする請求項１または２に記載の焦点検出装置。
【請求項４】
前記被写体検出手段によって被写体の領域を連続的に検出する際に前記焦点調節を行わない第２のモードにおいて、前記設定手段は、前記所定の指標を用いずに、前記第２の領域に基づいて前記第１の領域を設定することを特徴とする請求項３に記載の焦点検出装置。
【請求項５】
前記被写体の領域を示す表示を行う表示手段を有することを特徴とする請求項１乃至４のいずれか１項に記載の焦点検出装置。
【請求項６】
前記被写体検出手段によって被写体の領域を連続的に検出する処理を行わない場合、前記焦点検出手段は、前記受け付け手段を介して指定された位置に基づいて焦点検出領域を設定し焦点状態を検出することを特徴とする請求項１乃至５のいずれか１項に記載の焦点検出装置。
【請求項７】
前記焦点検出手段は、前記画像信号の高周波数成分から生成される焦点信号に基づいて前記焦点状態を検出し、
前記所定の指標は、前記焦点信号に基づく前記画像信号のコントラストを示す指標であって、前記第２の状態は、前記第１の状態よりも前記画像信号のコントラストが低い状態を示すことを特徴とする請求項１乃至６のいずれか１項に記載の焦点検出装置。
【請求項８】
前記算出手段は、前記第２の領域および複数の前記第３の領域における前記所定の指標を算出し、
前記第２の領域における前記所定の指標が前記第２の状態を示すとき、前記設定手段は、複数の前記第３の領域それぞれの前記所定の指標に基づいて、前記第３の領域を選択し当該第３の領域に基づいて前記第１の領域を設定することを特徴とする請求項７に記載の焦点検出装置。
【請求項９】
前記第２の領域における前記所定の指標が前記第２の状態を示すとき、前記設定手段は、複数の前記第３の領域それぞれの前記所定の指標に基づいて、所定のコントラスト状態を示す前記第３の領域が複数ある場合に、前記焦点信号が最も高い前記第３の領域に基づいて前記第１の領域を設定することを特徴とする請求項８に記載の焦点検出装置。
【請求項１０】
前記第２の領域および前記第３の領域は、それぞれ前記画像を複数の領域に分割して形成された複数の分割領域に対応し、
前記所定の指標は、前記画像信号のコントラストが低い状態を示す前記分割領域の数に基づいて算出されることを特徴とする請求項７乃至９のいずれか１項に記載の焦点検出装置。
【請求項１１】
前記焦点検出手段は、前記撮像手段から生成される一対の像信号に基づいて、位相差検出方式によりデフォーカス量およびデフォーカス方向を検出し、
前記所定の指標は、前記像信号の信頼性を示す指標であって、前記第２の状態は、前記第１の状態よりも前記像信号の信頼性が低い状態を示すことを特徴とする請求項１乃至６のいずれか１項に記載の焦点検出装置。
【請求項１２】
前記算出手段は、前記第２の領域および複数の前記第３の領域における前記所定の指標を算出し、
前記第２の領域における前記所定の指標が前記第２の状態を示すとき、前記設定手段は、複数の前記第３の領域それぞれの前記所定の指標に基づいて、前記像信号の信頼性が高い状態を示す前記第３の領域を選択し、当該第３の領域のうち、より至近側の被写体が含まれる前記第３の領域に基づいて前記第１の領域を設定することを特徴とする請求項１１に記載の焦点検出装置。
【請求項１３】
前記第２の領域における前記所定の指標が前記第２の状態を示すとき、前記設定手段は、複数の前記第３の領域それぞれの前記所定の指標に基づいて、前記像信号の信頼性が高い状態を示す前記第３の領域を選択し、当該第３の領域の全てにおいて、検出されたデフォーカス方向が無限遠側であって、かつデフォーカス量が閾値以上の場合、前記第２の領域に基づいて前記第１の領域を設定することを特徴とする請求項１２に記載の焦点検出装置。
【請求項１４】
前記受け付け手段を介してタッチ操作により位置が指定された場合、前記設定手段は、前記第２の領域における前記所定の指標が前記第１の状態を示すとき、前記第２の領域に基づいて前記第１の領域を設定し、前記第２の領域における前記所定の指標が前記第２の状態を示し、かつ、前記第２の領域の近傍の前記第３の領域における前記所定の指標が前記第１の状態を示すとき、前記第３の領域に基づいて前記第１の領域を設定することを特徴とする請求項１乃至１３のいずれか１項に記載の焦点検出装置。
【請求項１５】
前記受け付け手段を介してタッチ操作と異なる操作により位置が指定された場合、前記設定手段は、前記所定の指標を用いずに、前記第２の領域に基づいて前記第１の領域を設定することを特徴とする請求項１４に記載の焦点検出装置。
【請求項１６】
前記受け付け手段を介してタッチ操作により位置が指定された場合、前記設定手段は、前記第２の領域よりも下側に位置する前記第３の領域を優先して前記第１の領域の設定に用いることを特徴とする請求項１４に記載の焦点検出装置。
【請求項１７】
撮影光学系を通過した光を光電変換する撮像手段から出力された画像信号により生成される画像の領域に対する位置の指定の情報を取得する取得ステップと、
前記画像に第１の領域を設定する設定ステップと、
前記第１の領域に対応する被写体の領域を、連続的に生成される前記画像から検出する被写体検出ステップと、
前記被写体検出ステップによって検出された被写体の領域に対応する前記画像信号に基づいて、焦点状態を検出する焦点検出ステップと、
前記画像信号に基づいて、前記焦点状態の検出に関する所定の指標を算出する算出ステップとを有し、
前記指定された位置に対応する第２の領域における前記所定の指標が第１の状態を示すとき、前記設定ステップにおいて、前記第２の領域に基づいて前記第１の領域を設定し、
前記第２の領域における前記所定の指標が前記第１の状態よりも前記焦点状態の検出に適さない第２の状態を示し、かつ、前記第２の領域の近傍の第３の領域における前記所定の指標が前記第１の状態を示すとき、前記設定ステップにおいて、前記第３の領域に基づいて前記第１の領域を設定することを特徴とする焦点検出装置の制御方法。
【手続補正２】
【補正対象書類名】明細書
【補正対象項目名】発明の名称
【補正方法】変更
【補正の内容】
【発明の名称】焦点検出装置及びその制御方法
【手続補正３】
【補正対象書類名】明細書
【補正対象項目名】０００８
【補正方法】変更
【補正の内容】
【０００８】
上記目的を達成するために、本発明は、撮影光学系を通過した光を光電変換する撮像手段から出力された画像信号により生成される画像の領域に対する位置の指定を受け付ける受け付け手段と、前記画像に第１の領域を設定する設定手段と、前記第１の領域に対応する被写体の領域を、連続的に生成される前記画像から検出する被写体検出手段と、前記被写体検出手段によって検出された被写体の領域に対応する前記画像信号に基づいて、焦点状態を検出する焦点検出手段と、前記画像信号に基づいて、前記焦点状態の検出に関する所定の指標を算出する算出手段とを有し、前記受け付け手段を介して指定された位置に対応する第２の領域における前記所定の指標が第１の状態を示すとき、前記設定手段は、前記第２の領域に基づいて前記第１の領域を設定し、前記第２の領域における前記所定の指標が前記第１の状態よりも前記焦点状態の検出に適さない第２の状態を示し、かつ、前記第２の領域の近傍の第３の領域における前記所定の指標が前記第１の状態を示すとき、前記設定手段は、前記第３の領域に基づいて前記第１の領域を設定することを特徴とする。